(57)【要約】【課題】剛性を損なうことなく、確実に販売促進効果を得る。【解決手段】外周部を囲繞する複数の壁面１２Ａ，１２Ｂ，１３Ａ，１３Ｂを備え、一端の壁面１３Ａに他端の壁面１２Ｂへ貼着するための糊代部１４を連設する一方、壁面１２Ａ，１２Ｂ，１３Ａ，１３Ｂにフラップ１８Ａ，１８Ｂ，１９Ａ，１９Ｂを連設した包装箱１０において、壁面１２Ａ，１２Ｂ，１３Ａ，１３Ｂおよび糊代部１４を破断する破断手段（樹脂テープ２１）を設け、破断手段２１より上箱部１０ａと下箱部１０ｂとに分離可能とし、糊代部１４に、破断手段２１による破断位置を越えて上向きに延びる立上部２６と、立上部２６に対して外向きに突出するように屈曲される屈曲部２７と、屈曲状態の屈曲部２７に対して上面側に重畳するように固着された折返表示部３２と、を有する表示部２５を連設する。【選択図】図２
2009166883.tif 000002
【特許請求の範囲】
【請求項１】
外周部を囲繞する複数の壁面を備え、一端の壁面に他端の壁面へ貼着するための糊代部を連設する一方、所定の壁面に底面を構成するフラップを連設した包装箱において、
隣接する前記各壁面および糊代部にかけて横方向に延び、これら壁面および糊代部を破断する破断手段を設け、該破断手段より上箱部と下箱部とに分離可能とし、
前記糊代部に、該糊代部における前記破断手段の下部に連続し前記破断手段による破断位置を越えて上向きに延びる立上部と、該立上部の上部に連続し該立上部に対して外向きに突出するように屈曲される屈曲部と、該屈曲部の上部に連続し屈曲状態の屈曲部に対して上面側に重畳するように固着された折返表示部と、を有する表示部を連設したことを特徴とする包装箱。
【請求項２】
前記立上部と屈曲部との境界部分に、横方向に延びる２以上の第１切断線と、隣接する第１切断線の端部から前記立上部内に延びる第２切断線と、隣接する第２切断線間にかけて横方向に延びる折曲線と、を有する屈曲用罫線を設けたことを特徴とする請求項１に記載の包装箱。
【発明の詳細な説明】
【技術分野】
【０００１】
本発明は、所定の商品を収容して輸送し、店頭にて商品を露出させて展示販売する包装箱に関するものである。
【背景技術】
【０００２】
近年、店頭では類似商品が多く、他社の他商品との差別化が困難になっている。一方、商品の販売メーカでは、販売促進を図るための宣伝広告費用が縮小傾向にあり、消費者への訴求力が低下している。
【０００３】
本発明は、店頭にて商品を販売する際の販売促進を図るもので、このような包装箱に関連する先行技術文献情報としては次のものがある。
【０００４】
【特許文献１】特開２００４−５１１５０号公報
【０００５】
特許文献１には、背面板、右側面板、正面板および左側面板を備え、各板に底面を構成するフラップを連設した包装箱が記載されている。この包装箱には、一端に位置する左側面板の端縁には、他端に位置する背面板に貼着するための糊代部が連設されている。また、この包装箱には、正面板に、組立状態で上下方向に延びる一対の破断線が設けられ、その間に折り出し板と、表示板と、係止用差込板とを有する表示部が設けられている。また、この特許文献１には、各板にかけて延びる破断線を設け、この破断線に沿って各板を破断することにより封緘された内部の商品を露出させ、その破断縁から下側に位置する下箱部に同様の表示部を設けた包装箱も記載されている。これにより、表示板に印刷された表示を正面側に突出させ、販売促進効果を得ることができるように構成している。
【０００６】
しかしながら、この包装箱では、正面板に表示部を形成するために複数の破断線や折曲線を設けているため、輸送用の包装箱としての剛性が低下し、積み重ねた際の圧縮強度が低下するという問題がある。
【発明の開示】
【発明が解決しようとする課題】
【０００７】
本発明は、従来の問題に鑑みてなされたもので、剛性を損なうことなく、確実に販売促進効果を得ることが可能な包装箱を提供することを課題とするものである。
【課題を解決するための手段】
【０００８】
前記課題を解決するため、本発明の包装箱は、外周部を囲繞する複数の壁面を備え、一端の壁面に他端の壁面へ貼着するための糊代部を連設する一方、所定の壁面に底面を構成するフラップを連設した包装箱において、隣接する前記各壁面および糊代部にかけて横方向に延び、これら壁面および糊代部を破断する破断手段を設け、該破断手段より上箱部と下箱部とに分離可能とし、前記糊代部に、該糊代部における前記破断手段の下部に連続し前記破断手段による破断位置を越えて上向きに延びる立上部と、該立上部の上部に連続し該立上部に対して外向きに突出するように屈曲される屈曲部と、該屈曲部の上部に連続し屈曲状態の屈曲部に対して上面側に重畳するように固着された折返表示部と、を有する表示部を連設した構成としている。
【０００９】
この包装箱では、前記立上部と屈曲部との境界部分に、横方向に延びる２以上の第１切断線と、隣接する第１切断線の端部から前記立上部内に延びる第２切断線と、隣接する第２切断線間にかけて横方向に延びる折曲線と、を有する屈曲用罫線を設けることが好ましい。
【発明の効果】
【００１０】
本発明の包装箱では、表示部を設けるための破断部分を何ら設けていないため、封緘状態での剛性および圧縮強度が低下することはない。よって、輸送用の包装箱として好適に使用することができる。
【００１１】
また、破断手段によって各壁面を破断した状態では、屈曲部を介して折返表示部を屈曲させることにより、簡単に表示状態とすることができる。そして、この表示状態として店頭にて商品を販売することにより、消費者の注目を集めることができ、消費者への訴求を得ることができる。
【００１２】
さらに、表示状態で露出される折返表示部の上面は、包装箱の表面と同一面であるため、各壁面に印刷する商品に基づく表示、および、表示部に印刷する販売時の広告は、一面のみに印刷すればよい。よって、製造コストを低減できる。
【発明を実施するための最良の形態】
【００１３】
以下、本発明の実施の形態を図面に従って説明する。
【００１４】
図１から図４（Ａ），（Ｂ）は、本発明に係る第１実施形態の包装箱１０を示す。この包装箱１０は、外周部を囲繞する複数の壁面である各一対の端壁１２Ａ，１２Ｂおよび側壁１３Ａ，１３Ｂを備え、これらの上下端縁にそれぞれ天面（蓋）および底面（蓋）を構成するフラップ１６Ａ，１６Ｂ〜１９Ａ，１９Ｂを連設し、上下に分離可能とするとともに、販売促進効果を得るための表示部２５を設けたものである。
【００１５】
この包装箱１０は、図４（Ｂ）に示すように、表紙２および裏紙３の間に波状の中しん４を配設した周知の段ボール紙１を、周知の紙器打抜装置（図示せず）によって図４（Ａ）に示す連続した一枚のブランク１１として打ち抜き、所定部位を糊付けにより貼着して成形される。なお、図４（Ａ）は、裏面の側から見た状態を示している。
【００１６】
この包装箱１０のブランク１１は、端壁１２Ａ，１２Ｂおよび側壁１３Ａ，１３Ｂが交互かつ直線的に連続するように設けられている。これらのうち、左側端に位置する側壁１３Ａの側縁には、右側端部に位置する端壁１２Ｂに貼着するための糊代部１４が連設されている。そして、これら端壁１２Ａ，１２Ｂ、側壁１３Ａ，１３Ｂおよび糊代部１４の各境界部分には、肉厚を圧縮するように罫を入れて形成した折曲線１５が設けられている。
【００１７】
また、前記端壁１２Ａ，１２Ｂの上端縁には、上側内フラップ１６Ａ，１６Ｂが連設されるとともに、前記側壁１３Ａ，１３Ｂの上端縁には、上側外フラップ１７Ａ，１７Ｂが連設されている。同様に、前記端壁１２Ａ，１２Ｂの下端縁には、下側内フラップ１８Ａ，１８Ｂが連設されるとともに、前記側壁１３Ａ，１３Ｂの下端縁には、下側外フラップ１９Ａ，１９Ｂが連設されている。そして、これら各フラップ１６Ａ，１６Ｂ〜１９Ａ，１９Ｂと連続した各壁１２Ａ，１２Ｂ，１３Ａ，１３Ｂとの境界部分には、前記と同様の折曲線２０が設けられている。
【００１８】
そして、本実施形態では、組立（封緘）状態の包装箱１０を上箱部１０ａと下箱部１０ｂとに分離するための破断手段として樹脂テープ２１が設けられるとともに、分離後の下箱部１０ｂに販売促進用の表示を形成するために糊代部１４に表示部２５が連設されている。
【００１９】
前記樹脂テープ２１は、前記各壁１２Ａ，１２Ｂ，１３Ａ，１３Ｂおよび糊代部１４は勿論、後述する表示部２５にかけて横方向に延びるように、内面側である裏紙３に貼着したＰＰ（ポリプロピレン）製のものである。この樹脂テープ２１には、一面に接着剤が塗布され、分離する上箱部１０ａの容積（高さ）を大きくする一方、下箱部１０ｂの容積を小さくすることにより、分離後に下箱部１０ｂ内に収容した商品を大きく露出できるように、下側部分の偏った位置に貼着されている。
【００２０】
そして、側壁１３Ａ，１３Ｂには、樹脂テープ２１上に位置するように、略倒Ｈ字形状をなすように切断線を設けてなる破断端部２２が設けられている。また、端壁１２Ｂには、糊代部１４に貼着される領域に、横方向に延びる一対の切断線からなる第１ガイド部２３が設けられている。さらに、糊代部１４には、ミシン目状をなすように横方向に所定間隔をもって延びる切目線と、該切目線の一端から傾斜して延びるガイド線とを有する破断線を、樹脂テープ２１を挟んで上下対称に一対設けてなるジッパー構造の第２ガイド部２４が設けられている。
【００２１】
前記表示部２５は、糊代部１４に連続する立上部２６と、該立上部２６の上部に連続する屈曲部２７と、該屈曲部２７の上部に連続する折返表示部３２とを備えている。
【００２２】
前記立上部２６は、糊代部１４における破断手段である第２ガイド部２４の下部に連続し、組立状態で糊代部１４が貼着される端壁１２Ｂに重畳して縦方向上向きに延びるものである。この立上部２６の上端部は、破断位置となる樹脂テープ２１を越えて上向きに突出する寸法で形成されている。
【００２３】
前記屈曲部２７は、端壁１２Ｂから外向きに突出するように立上部２６に対して屈曲されるものである。この屈曲部２７と立上部２６との境界部分には、屈曲状態を維持する機能を有する屈曲用罫線２８が設けられている。この屈曲用罫線２８は、横方向に延びる一対の第１切断線２９と、隣接する第１切断線２９の端部から立上部２６内に向けて延びるように設けた第２切断線３０と、隣接する第２切断線３０，３０間にかけて横方向に延びる折曲線３１とを備えている。第１切断線２９は、両側縁の同一高さ位置から内向きに延びるように設けられている。第２切断線３０は、第１切断線２９に対して直交方向下向きに延びるもので、その下端は樹脂テープ２１上に位置している。折曲線３１は、前記と同様に肉厚を圧縮するように罫を入れて形成したもので、樹脂テープ２１より上側に位置するように設けられている。
【００２４】
前記折返表示部３２は、屈曲状態の屈曲部２７に対して上面側に重畳するように折り返して貼着することにより、段ボール紙１の表面（印刷面）が上側に位置されるものである。この折返表示部３２には、その先端縁中央に切欠部３３が設けられるとともに、該切欠部３３の両側端から直交方向に延びる一対の切断線３４が設けられている。また、この折返表示部３２と屈曲部２７との境界部分には、折曲線３５が設けられるとともに、その両側縁にＶ字状をなすように切欠部３６が設けられている。なお、この折返表示部３２における折曲線３５から切欠部３３の縁までの縦方向の寸法は、屈曲部２７における折曲線３１から折曲線３５までの縦方向の寸法と同一に設定されている。
【００２５】
このように構成した表示部２５は、糊代部１４に対して区画用切断線３７によって区画されている。この区画用切断線３７は、糊代部１４の上端部分と折返表示部３２との間を区画する所定幅のスリット部３８と、隣接する切欠部３６と対応するＶ字状の第１切断部３９と、該第１切断部３９の下端から下向きに延びる第２切断部４０とを備えている。そのうち、第２切断部４０は、第２ガイド部２４の下端まで延び、樹脂テープ２１による破断時に立上部２６の上部まで破断されることを防止している。また、第２切断部４０の上側部分には非切断部４１が設けられ、糊代部１４との連続部分を設けることにより、ブランク１１として打ち抜く際、および、打ち抜いた後の取り扱い作業性を向上できるようにしている。
【００２６】
また、使用状態では、前記表示部２５は、屈曲用罫線２８の第１および第２切断線３０，３０により、立上部２６の両側部に上向きに突出する一対の係止片４２，４２が形成される（図３参照）。また、折返表示部３２には、切欠部３３と切断線３４により、先端縁両側部に係止片４２に係止される一対の係止受部４３，４３が形成される。そして、これらの係止により、折返表示部３２を介して立上部２６に対する屈曲部２７の屈曲状態を所定角度に維持できるように構成している。
【００２７】
このように構成した第１実施形態の包装箱１０のブランク１１は、打ち抜き前または打ち抜き後に、各壁１２Ａ，１２Ｂ，１３Ａ，１３Ｂの表面に収容する商品に基づく表示が周知の印刷機によって印刷される。また、前記折返表示部３２には、店頭にて販売する際の広告が印刷される。そして、これらの印刷面は、段ボール紙１において同一の表紙２である。
【００２８】
このブランク１１は、まず、屈曲部２７と折返表示部３２の裏紙３の側が重畳するように、折曲線３５に沿って屈曲部２７に対して折返表示部３２を折り曲げ、これらを酢酸ビニルエマルジョン系などの接着剤により貼着する。その後、折曲線１５に沿って、端壁１２Ａに重畳するように側壁１３Ａを折り曲げた後、側壁１３Ｂに重畳するように端壁１２Ｂを折り曲げ、重畳する糊代部１４と端壁１２Ｂとを、同様に接着剤により貼着する。
【００２９】
また、この包装箱１０を使用する場合には、まず、折曲線２０に沿って、底面を構成する下側内フラップ１８Ａ，１８Ｂを端壁１２Ａ，１２Ｂに対して内向きに折り曲げた後、下側外フラップ１９Ａ，１９Ｂを側壁１３Ａ，１３Ｂに対して折り曲げる。そして、互いに突き合わさった下側外フラップ１９Ａ，１９Ｂを粘着テープにより固着する。または、これらフラップ１８Ａ，１８Ｂ，１９Ａ，１９Ｂの重畳部分を周知の固着金具によって固着する。
【００３０】
ついで、平面的に延びる立上部２６および屈曲部２７を端壁１２Ｂに重畳させた状態で、開放した上端開口から所定の商品を内部に収容させる。その後、折曲線２０に沿って、天面を構成する上側内フラップ１６Ａ，１６Ｂを端壁１２Ａ，１２Ｂに対して内向きに折り曲げた後、上側外フラップ１７Ａ，１７Ｂを側壁１３Ａ，１３Ｂに対して折り曲げ、これらを粘着テープまたは固着金具によって固着する。
【００３１】
この封緘状態の包装箱１０は、図１に示すように、外周部を囲繞する端壁１２Ａ，１２Ｂおよび側壁１３Ａ，１３Ｂには、これらを樹脂テープ２１によって破断するための破断端部２２しか設けてなく、表示部２５を設けるための破断線や折曲線は何ら設けていない。そのため、包装箱１０は、剛性は勿論、積み重ねた際の圧縮強度も殆ど低下することはない。よって、輸送用の包装箱１０として好適に使用することができる。
【００３２】
一方、この包装箱１０に収容された商品を販売する販売店では、まず、側壁１３Ａ，１３Ｂに設けた破断端部２２に指を差し込み、３本の切断線で囲繞された端片を把持して引っ張る。これにより、側壁１３Ａ，１３Ｂおよび連続した端壁１２Ａ，１２Ｂを樹脂テープ２１で引き裂くように破断できる。この際、表示部２５は、前述のように第２切断部４０により樹脂テープ２１によって破断されることはない。
【００３３】
このようにして、糊代部１４を含む全ての壁１２Ａ，１２Ｂ，１３Ａ，１３Ｂを上下に破断すると、図２に示すように、上側の上箱部１０ａと、商品を収容した状態を維持する下側の下箱部１０ｂとに分離される。
【００３４】
この状態では、下箱部１０ｂは、図示のように、糊代部１４に連設した表示部２５が封緘時のまま端壁１２Ｂに沿って上向きに延び、破断縁から上方に突出した状態をなす。この状態で、図３に示すように、屈曲部２７を、貼着された折返表示部３２と一緒に端壁１２Ｂから外向きに突出するように屈曲させる。
【００３５】
これにより、裏紙３の側を屈曲部２７に貼着した折返表示部３２は、販売時の広告を印刷した表紙２の側が上向きに位置する。また、折返表示部３２の係止受部４３が立上部２６の係止部に弾性的に係止し、屈曲部２７を介して折返表示部３２を所定角度に屈曲させた状態を維持する。
【００３６】
このように、本発明の包装箱１０では、糊代部１４に表示部２５を連設しているため、封緘状態での剛性および圧縮強度を損なうことはない。また、表示部２５を表示状態とする際には、樹脂テープ２１により端壁１２Ａ，１２Ｂ、側壁１３Ａ，１３Ｂおよび糊代部１４を破断して上箱部１０ａを分離し、屈曲部２７を介して折返表示部３２を希望角度に屈曲させるだけであるため、その作業性は極めて良好である。
【００３７】
さらに、この表示状態では、印刷面を上向きとして折返表示部３２を端壁１２Ｂから突出させるため、消費者の注目を集めることができる。その結果、折返表示部３２の広告内容により、消費者への訴求を得ることができる。しかも、表示状態で露出される折返表示部３２の上面は、包装箱１０の表面と同一面であるため、各壁１２Ａ，１２Ｂ，１３Ａ，１３Ｂに印刷する商品に基づく表示、および、表示部２５に印刷する販売時の広告は、表紙２のみに印刷すればよい。よって、製造コストを低減できる。
【００３８】
そして、樹脂テープ２１による破断縁は、引き裂いた如き状態であるため、外観は決して良いものではないが、折返表示部３２の屈曲により、その破断縁を覆い隠すことができる。その結果、外観不良による購買意欲の減退を防止できる。
【００３９】
図５から図８は第２実施形態の包装箱１０を示す。この第２実施形態では、包装箱１０を一対のブランク１１Ａ，１１Ｂにより構成し、かつ、隣接する端壁１２Ａ，１２Ｂおよび側壁１３Ａ，１３Ｂの間に面取壁を設けた点で、第１実施形態と大きく相違している。
【００４０】
具体的には、第２実施形態のブランク１１Ａ，１１Ｂは、図８に示す同一形状のものである。なお、この図８では、一方のブランク１１Ａのみを図示しており、以下の説明でもブランク１１Ａのみを説明するが、他方のブランク１１Ｂも同様である。
【００４１】
前記ブランク１１Ａは、第１実施形態と同様に、端壁１２Ａと側壁１３Ａとを備え、その間に所定幅の第１面取壁４４Ａが連設されている。側壁１３Ａの側縁には、第１面取壁４４Ａより横幅が僅かに狭い糊代部１４Ａが連設されている。また、端壁１２Ａの側縁には、同様に第１面取壁４４Ａより横幅が僅かに狭い第２面取壁４５Ａが連設されている。そして、これら糊代部１４Ａ、側壁１３Ａ、第１面取壁４４Ａ、端壁１２Ａおよび第２面取壁４５Ａの各境界部分には、折曲線１５が設けられている。
【００４２】
また、前記端壁１２Ａの上端縁には、上側内フラップ１６Ａが連設されるとともに、前記側壁１３Ａの上端縁には、上側外フラップ１７Ａが連設されている。同様に、前記端壁１２Ａの下端縁には、下側内フラップ１８Ａが連設されるとともに、前記側壁１３Ａの下端縁には、下側外フラップ１９Ａが連設されている。そして、これら各フラップ１６Ａ〜１９Ａと連続した各壁１２Ａ，１３Ａとの境界部分には折曲線２０が設けられている。なお、各内フラップ１６Ａ，１８Ａおよび外フラップ１７Ａ，１９Ａは、封緘状態で面取壁４４Ａ，４５Ａの上下端縁に沿うように、各折曲線１５から外向きに傾斜する縁１６ａ〜１９ａを備えた形状をなす。
【００４３】
そして、第２実施形態では、組立（封緘）状態の包装箱１０を上箱部１０ａと下箱部１０ｂに分離するための破断手段として、樹脂テープ２１の変わりに、ミシン目状をなすように横方向に所定間隔をもって延びる切目線４６ａと、該切目線４６ａの一端から傾斜して延びるガイド線４６ｂとを有する破断線４６，４６を上下対称に一対設けてなるジッパー４７により構成している。
【００４４】
また、糊代部１４Ａには、第１実施形態と同様の表示部２５Ａが連設されている。なお、本実施形態の糊代部１４Ａは、別体のブランク１１Ｂの第２面取壁４５Ｂに貼着される。そして、前記表示部２５Ａは、第２面取部Ｂに連続したブランク１１Ｂの端壁１２Ｂに沿って延びるように構成される。
【００４５】
このように構成したブランク１１Ａ，１１Ｂは、例えばブランク１１Ｂの表示部２５Ｂおよび糊代部１４Ｂを、ブランク１１Ａの端壁１２Ａおよび第２面取壁４５Ａに重畳させ、糊代部１４Ｂを第２面取壁４５Ａの内面側に接着剤によって貼着する。その後、折曲線１５に沿って、ブランク１１Ａの側壁１３Ａを第１面取壁４４Ａに対して折り曲げた後、ブランク１１Ｂの第２面取壁４５Ｂ、端壁１２Ｂおよび第１面取壁４４Ｂを側壁１３Ｂに対して折り曲げる。そして、重畳するブランク１１Ａの糊代部１４Ａとブランク１１Ｂの第２面取壁４５Ｂとを接着剤によって貼着する。
【００４６】
そして、第１実施形態と同様にして商品を収容して封緘した第２実施形態の包装箱１０は、図５に示すように、外周部を囲繞する端壁１２Ａ，１２Ｂおよび側壁１３Ａ，１３Ｂには、破断を行うためのジッパー４７しか設けられていない。そのため、剛性は勿論、積み重ねた際の圧縮強度も殆ど低下することはなく、輸送用の包装箱１０として好適に使用することができる。
【００４７】
一方、第２実施形態の包装箱１０に収容された商品を販売する販売店では、まず、側壁１３Ａ，１３Ｂに設けた破断端部２２に指を差し込み、ジッパー４７の端片を把持して引っ張る。これにより、側壁１３Ａ，１３Ｂおよび連続した端壁１２Ａ，１２Ｂを破断線４６，４６に沿って破断できる。この際、表示部２５Ａ，２５Ｂには、破断線４６，４６は設けていないため破断されることはない。また、第２実施形態では、破断線４６，４６に沿って破断されるため、その破断縁は第１実施形態と比較して外観は良好である。
【００４８】
このようにして、糊代部１４Ａ，１４Ｂを含む全ての壁１２Ａ，１２Ｂ，１３Ａ，１３Ｂを上下に破断すると、図６に示すように、上側の上箱部１０ａ（図６では図示せず。）と、商品を収容した状態を維持する下側の下箱部１０ｂとを分離できる。
【００４９】
この状態では、下箱部１０ｂは、図示のように、糊代部１４Ａ，１４Ｂに連設した表示部２５Ａ，２５Ｂが封緘時のまま端壁１２Ａ，１２Ｂに沿って上向きに延び、破断縁から上方に突出した状態をなす。この状態で、図７に示すように、屈曲部２７Ａ，２７Ｂを、貼着された折返表示部３２Ａ，３２Ｂと一緒に端壁１２Ａ，１２Ｂから外向きに突出するように屈曲させる。
【００５０】
これにより、折返表示部３２Ａ，３２Ｂは、販売時の広告を印刷した表紙２の側が上向きに位置した状態で、係止受部４３が立上部２６Ａ，２６Ｂの係止部に弾性的に係止し、屈曲部２７Ａ，２７Ｂを介して折返表示部３２Ａ，３２Ｂを所定角度に屈曲させた状態を維持できる。
【００５１】
よって、第２実施形態の包装箱１０では、第１実施形態と同様の作用および効果を得ることができるうえ、両端に表示部２５Ａ，２５Ｂを設けることができるため、載置する場所および方向性の自由度を向上できる。
【００５２】
なお、本発明の包装箱１０は、前記実施形態の構成に限定されるものではなく、種々の変更が可能である。
【００５３】
例えば、１個の表示部２５を設けた第１実施形態の包装箱１０に、面取壁４４Ａ，４５Ａ，４４Ｂ，４５Ｂを形成することも可能である。また、２個の表示部２５Ａ，２５Ｂを設けた第２実施形態の包装箱１０に、面取壁４４Ａ，４５Ａ，４４Ｂ，４５Ｂを形成しないように構成することも可能である。
【００５４】
さらに、前記各実施形態では、天面を構成するフラップ１６Ａ，１６Ｂ，１７Ａ，１７Ｂを一体的に設けたが、これらフラップ１６Ａ，１６Ｂ，１７Ａ，１７Ｂは設けない構成としてもよい。
【００５５】
そして、本発明の包装箱は、第１実施形態では平面視四角形状とし、第２実施形態では平面視八角形状としたが、第１実施形態および第２実施形態の構成を組み合わせ、かつ、３ピースで構成することにより、平面視六角形状で３面に表示部を設けることも可能である。即ち、包装箱において外周部を囲繞する壁面の数は希望に応じて変更が可能であるうえ、ブランクを複数に分割して構成することにより表示部の数も希望に応じて変更が可能である。
【図面の簡単な説明】
【００５６】
【図１】本発明に係る第１実施形態の包装箱を分離する際の一工程を示す斜視図である。
【図２】第１実施形態の包装箱を分離した状態を示す分解斜視図である。
【図３】第１実施形態の展示状態を示す斜視図である。
【図４】（Ａ）は第１実施形態の包装箱のブランクを示す底面図、（Ｂ）は包装箱を形成する段ボール紙の構成を示す断面図である。
【図５】第２実施形態の包装箱を示す斜視図である。
【図６】第２実施形態の分離した下箱部を示す斜視図である。
【図７】第２実施形態の展示状態を示す斜視図である。
【図８】第２実施形態の包装箱のブランクを示す底面図である。
【符号の説明】
【００５７】
１０…包装箱
１０ａ…上箱部
１０ｂ…下箱部
１２Ａ，１２Ｂ…端壁（壁面）
１３Ａ，１３Ｂ…側壁（壁面）
１４，１４Ａ，１４Ｂ…糊代部
１８Ａ，１８Ｂ…下側内フラップ
１９Ａ，１９Ｂ…下側外フラップ
２１…樹脂テープ（破断手段）
２５，２５Ａ，２５Ｂ…表示部
２６，２６Ａ，２６Ｂ…立上部
２７，２７Ａ，２７Ｂ…屈曲部
２８…屈曲用罫線
２９…第１切断線
３０…第２切断線
３１…折曲線
３２，３２Ａ，３２Ｂ…折返表示部
３７…区画用切断線
４４Ａ，４４Ｂ…第１面取壁（壁面）
４５Ａ，４５Ｂ…第２面取壁（壁面）
４７…ジッパー（破断手段）
【図１】
2009166883.tif 000003
【図２】
2009166883.tif 000004
【図３】
2009166883.tif 000005
【図４】
2009166883.tif 000006
【図５】
2009166883.tif 000007
【図６】
2009166883.tif 000008
【図７】
2009166883.tif 000009
【図８】
2009166883.tif 000010